(57)【要約】【課題】  合成樹脂製の遊技盤において、材質や構造に関する制約を低減する。【解決手段】  嵌着体４０を遊技盤１の大径穴３７に嵌合させておいて、遊技釘２０を小径穴３６に通して打ち込み、大径部３３を嵌入孔４４及び中心穴４３に嵌入させ、段差３４を係止部４５に係止させて、遊技釘２０を遊技盤１に固定する。遊技釘２０は遊技盤１本体ではなく、これに取り付けられた嵌着体４０に打ち付けられるので、遊技盤１本体は、例えば発泡させる等によって釘打ち可能にする必要がなく、遊技盤１としての剛性を備える限りは合成樹脂の材質や性質、遊技盤の構造などは特段の制約を受けない。【選択図】  図２
2006239129.tif 000002
【特許請求の範囲】
【請求項１】
遊技盤の表面から露出する小径部よりも大径の大径部を先端部に設けて、前記小径部と前記大径部の境界に段差を形成した遊技釘を合成樹脂製の遊技盤に打ち付けるための構造であって、
前記大径部を通過させる寸法で前記遊技盤の前面に開口する前面開口部と該前面開口部よりも大径で前記遊技盤の背面に開口する背面開口部とからなる段差貫通穴を前記遊技盤に設け、
前記大径部を軸方向に嵌入させると弾性的に拡径変形する嵌入孔と、
該嵌入孔の入口部に設けられて、前記大径部が進入すると弾性変形し、該大径部が通過すると弾性復帰して前記小径部との境界の段差を係止する抜け防止部と
備える嵌着体を、
前記抜け防止部が前記前面開口部側になる姿勢で前記背面開口部に嵌合させておいて、
前記遊技釘を前記前面開口部から前記背面開口部に向けて打ち込むことにより、
前記大径部を前記嵌入孔に嵌入させて、前記段差を前記抜け防止部に係止させて前記遊技釘を前記遊技盤に固定する
遊技釘の打ち付け構造。
【発明の詳細な説明】
【技術分野】
【０００１】
本発明は、弾球遊技機の技術分野に属し、詳しくは弾球遊技機の遊技盤に遊技釘を打ち付けるための構造に関する。
【背景技術】
【０００２】
パチンコ機等の弾球遊技機の遊技盤には遊技球の進路を変化させるための遊技釘（障害釘とも言う）が打ち付けられるのが一般的である。
従来の合板製の遊技盤であれば釘打ちには何ら問題はないが、合成樹脂製の遊技盤の場合は、釘打ち可能にするための構成が必要になる。例えば特開平８−２４３２１６号公報（特許文献１）には、発泡樹脂により遊技盤を成形することで、釘打ち可能にする技術が開示されている。
【０００３】
また、特開平１１−０９９２４４号公報（特許文献２）には、ガスカウンタプレッシャー法により遊技盤を成形する際に、遊技盤の一部を薄くすることで発泡させずに透明部分を形成し、この透明部分の裏側に液晶装置を設置して液晶装置の画像を遊技盤に表示する技術が開示されている。
【特許文献１】特開平８−２４３２１６号公報
【特許文献２】特開平１１−０９９２４４号公報
【発明の開示】
【発明が解決しようとする課題】
【０００４】
しかしながら、裏側に配置される液晶装置の画像（画面）を大きくする場合には、遊技盤の広い範囲、例えば全体を透明にしなければならず、特許文献２の技術では対応できない。
【課題を解決するための手段】
【０００５】
請求項１記載の遊技釘の打ち付け構造は、遊技盤の表面から露出する小径部よりも大径の大径部を先端部に設けて、前記小径部と前記大径部の境界に段差を形成した遊技釘を合成樹脂製の遊技盤に打ち付けるための構造であって、
前記大径部を通過させる寸法で前記遊技盤の前面に開口する前面開口部と該前面開口部よりも大径で前記遊技盤の背面に開口する背面開口部とからなる段差貫通穴を前記遊技盤に設け、
前記大径部を軸方向に嵌入させると弾性的に拡径変形する嵌入孔と、該嵌入孔の入口部に設けられて、前記大径部が進入すると弾性変形し、該大径部が通過すると弾性復帰して前記小径部との境界の段差を係止する抜け防止部と備える嵌着体を、前記抜け防止部が前記前面開口部側になる姿勢で前記背面開口部に嵌合させておいて、
前記遊技釘を前記前面開口部から前記背面開口部に向けて打ち込むことにより、前記大径部を前記嵌入孔に嵌入させて、前記段差を前記抜け防止部に係止させて前記遊技釘を前記遊技盤に固定する
ので、遊技釘は遊技盤本体ではなく、これに取り付けられた嵌着体に打ち付けられる。このため、遊技盤本体は、例えば発泡させる等によって釘打ち可能にする必要がなく、遊技盤としての剛性を備える限りは合成樹脂の材質や性質、遊技盤の構造（例えば積層構造にする等）などは特段の制約を受けないから、例えば全体を透明にすることもできる。
【発明を実施するための最良の形態】
【０００６】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１はパチンコ機用であり、図１に示すとおり、一部に切欠があるものの、ほぼ長方形をしている。この遊技盤１にはレールピン２１によって略円弧状のガイドレール２ａ、２ｂが取り付けられており、ガイドレール２ａ、２ｂによって囲まれた略円形の区画内が遊技領域４とされる。なお、ガイドレール２ａ、２ｂの先端間の切れ目部分は返しゴム（図示略）にて閉じられる。
【０００７】
遊技領域４の最下部には、遊技領域４を通過してきた遊技球をアウト球として排出するためのアウト穴５が設けられており、ガイドレール２ｂには遊技球をアウト穴５に誘導するための凹み２ｃが設けられている。
【０００８】
そのアウト穴５の上方には、開閉板６ａによって開閉されるアタッカー式の大入賞口６が配されている。また、大入賞口６の左右斜め上には、それぞれ普通入賞口７、８が配されている。これら大入賞口６及び普通入賞口７、８は共通のベース板９に組み付けられて入賞口ユニット１０とされ、ビス１１にて遊技盤１に取り付けられている。本実施例では入賞口ユニット１０を採用しているが、大入賞口６、普通入賞口７、８をそれぞれ別々に遊技盤１に取り付けることもできる。
【０００９】
大入賞口６の上方には電動チューリップ式の可変入賞装置１２と始動入賞口１３とを備える複合入賞装置１４が設置されている。
図示するところから明らかなように、可変入賞装置１２が閉鎖状態（図示の状態）にあるときには、始動入賞口１３によって可変入賞装置１２への入賞を阻まれる（可変入賞装置１２へは、開放時しか入賞できない）。この可変入賞装置１２は、その左右に配されている通過口１５に遊技球が進入したことに起因する抽選で当たりになると開放される。
【００１０】
一方、始動入賞口１３に入賞した場合には大当たり抽選が行われ、これに応じて遊技盤１の背後に配されている表示装置（図示は省略。図１には表示装置の画面の輪郭に対応する透視域１６を示してある。）にて図柄の変動表示がなされる。大当たり抽選が当たりであれば、図柄の変動表示に続いて表示装置にて大当たりを示す表示が行われる。その大当たり表示がなされると大当たり遊技の開始となって、大入賞口６が開放される。なお、この表示装置は演出表示用であり、大当たり抽選の結果は図示省略の７セグメントＬＥＤによって表示されるが、表示装置の表示だけでも大当たりか否かを判別できる。
【００１１】
表示装置は遊技盤１と一体化されているわけでないが（遊技盤１の一部ではないが）、遊技盤１には透視域１６の上辺に対応するようにしてガード庇１７が取り付けられ、同下辺に対応するようにしてステージ１８が取り付けられている。また、ステージ１８の左右には風車１９が配されている。
【００１２】
ガード庇１７は、上方からの遊技球が透視域１６（表示装置の画面の前方）に進入するのを防止するために（遊技球が画面の前方を通って視認性を阻害するのを防止するために）設置されている。ガード庇１７及びステージ１８は、正確にではないが透視域１６すなわち表示装置の画面の上下限界を、風車１９は左右限界を遊技者に示す働きもする。
【００１３】
図示するとおり、遊技領域４には多数の遊技釘２０が植設されている。
遊技領域４の中央上部（ガード庇１７の上方）にはいわゆる天釘として、普通入賞口７、８、始動入賞口１３及び通過口１５の直上にはいわゆる命釘として、それぞれ遊技釘２０が配置されている。また、左右の風車１９及びステージ１８の下方においては、遊技球を複合入賞装置１４又は通過口１５へと誘導するように、列状の遊技釘２０が配置されている。その他、配置密度に差があるものの、適宜に遊技釘２０が配されている。但し、透視域１６（表示装置の画面の前方）には実質的に遊技釘２０は存在しないので、遊技釘２０によって画面の視認性が損なわれることはない。
【００１４】
次に、遊技釘２０の打ち付けについて、図２及び図３を参照して説明する。
まず、遊技釘２０の軸部は、頭部３１に連接する小径部３２と先端側の大径部３３とで構成され、小径部３２と大径部３３の境界部分には両者の径の差に対応した段差３４が形成されている。また、大径部３３の先端部３５は円錐台状になっている。
【００１５】
遊技盤１には、小径穴３６と大径穴３７とを同軸に設けた２段穴である段差貫通穴３８が設けられている。小径穴３６の内径は大径部３３を通過させる寸法であり、小径穴３６は遊技盤１の前面１ａに開口している（前面開口部に該当）。大径穴３７の内径は小径穴３６よりも大きく、遊技盤１の背面１ｂに開口している（背面開口部に該当）。
【００１６】
そして、大径穴３７には嵌着体４０を嵌合させてある。嵌着体４０は、リング部４１により大径穴３７に嵌合している。そのリング部４１の片面には筒体を４分割した構造の４本の弾性柱４２が連接されており、それら弾性柱４２の内側には、リング部４１の中心穴４３と連通状に嵌入孔４４が形成されている。また、各弾性柱４２の先端部には、嵌入孔４４の中心に向かって突出する係止部４５（抜け防止部に該当）が設けられている。
【００１７】
嵌着体４０は係止部４５が小径穴３６側になる姿勢で大径穴３７に嵌合させられており、小径穴３６と嵌入孔４４とが実質同軸になっている。
遊技釘２０を打ち付ける際には、予め嵌着体４０を大径穴３７に嵌合させた遊技盤１を水平な釘打ち台（図示せず）に載せ、遊技盤１の背面１ｂ及び嵌着体４０の背面を釘打ち台に接触させておく。
【００１８】
そして、遊技釘２０の先端を小径穴３６に通して、４つの係止部４５の中心を狙って打ち込む。
すると、大径部３３が先端部３５のテーパによって案内されて嵌入孔４４に進入するので、係止部４５がこれに押しのけられるように外側に変位し、これに伴って弾性柱４２も外側に（つまり嵌入孔４４の径を拡大する方向に）弾性変形する（図３（ｂ）参照）。
【００１９】
そして、大径部３３が通過すると、大径部３３から係止部４５に及ぼされていた力が解除されるので、弾性柱４２が弾性復帰して係止部４５を段差３４に係止させる（図３（ｃ）参照）。これにより、遊技釘２０を引き抜くことができなくなる。
【００２０】
また、中心穴４３及び嵌入孔４４の内径は大径部３３の外径と等しい（クリアランス無し）か、わずかに小さく設定されているので、大径部３３が中心穴４３及び嵌入孔４４に嵌合して固定される。この状態で大径部３３が中心穴４３を内側から圧迫する力はリング部４１の外径を拡大させる力として作用するので、リング部４１（嵌着体４０）と大径穴３７との嵌合が強まる。
【００２１】
図４に示すように、レールピン２１も遊技釘２０と同様に、嵌着体４０を用いて遊技盤１に取り付けられている。
但し、レールピン２１の軸は円柱状でなく平板状であるため、遊技釘２０の大径部３３に相当する張出部３３ａと段差３４ａが設けられており、遊技釘２０と同様に嵌着体４０に打ち込まれたときには、張出部３３ａが中心穴４３及び嵌入孔４４に嵌合して固定され、段差３４ａが係止部４５に係止される。
【００２２】
このように、嵌着体４０を遊技盤１の大径穴３７に嵌合させておいて、遊技釘２０を小径穴３６に通して嵌着体４０の係止部４５の中心を狙って打ち込むことにより、大径部３３を嵌入孔４４及び中心穴４３に嵌入させて、段差３４を係止部４５に係止させて、遊技釘２０を遊技盤１に固定するので、遊技釘２０は遊技盤１本体ではなく、これに取り付けられた嵌着体４０に打ち付けられる。このため、遊技盤１本体は、例えば発泡させる等によって釘打ち可能にする必要がなく、遊技盤１としての剛性を備える限りは合成樹脂の材質や性質、遊技盤の構造（例えば積層構造にする等）などは特段の制約を受けないから、例えば全体を透明にすることもできる。
【図面の簡単な説明】
【００２３】
【図１】実施例の遊技盤の正面図。
【図２】遊技盤、遊技釘、嵌着体の関係を説明するための斜視図。
【図３】遊技釘の打ち込みの説明図。
【図４】レールピンの打ち込みの説明図。
【符号の説明】
【００２４】
１・・・遊技盤、
１ａ・・・前面、
１ｂ・・・背面、
２ａ、２ｂ・・・ガイドレール、
４・・・遊技領域、
１６・・・透視域、
１９・・・風車、
２０・・・遊技釘、
２１・・・レールピン、
３１・・・頭部、
３２・・・小径部、
３３・・・大径部、
３３ａ・・・張出部、
３４・・・段差、
３４ａ・・・段差、
３５・・・先端部、
３６・・・小径穴、
３７・・・大径穴、
３８・・・段差貫通穴、
４０・・・嵌着体、
４１・・・リング部、
４２・・・弾性柱、
４３・・・中心穴、
４４・・・嵌入孔、
４５・・・係止部。
【図１】
2006239129.tif 000003
【図２】
2006239129.tif 000004
【図３】
2006239129.tif 000005
【図４】
2006239129.tif 000006